(57)【要約】   【課題】軒樋吊具に軒樋の前耳と後耳の何れを先に取付けても軒樋吊具に軒樋を容易に取付けることができる軒樋吊具を提供することを目的とする。  【解決手段】軒樋２０は前壁２１の上部域２１ａが軒樋内部側に二段階に曲折されて上端部２６が水平線より下方に向かって平面状に形成されるとともにこの上端部２６の軒樋内部側に断面略半円状の前耳部２７を備える。軒樋吊具３０の前端部３１ｂに上方開口して軒樋２０の前耳部２７を嵌合して収納する断面略半円状の前耳保持凹部３３を備える。この前耳保持凹部３３の縁部３４は角度θ＝略２５度で水平より下方に向かって形成される。そして、前耳保持凹部３３の後方縁部３４ａに前耳部２７を係止する係止片３７が前方に突設され、この先端部３７ａに前耳保持凹部３３の前方における縁部３４より上方に亘ってガイド面３９を備える。【選択図】  図３
2008291570.tif 000002
【特許請求の範囲】
【請求項１】
軒樋を吊下げて支持する軒樋吊具構造であって、
前記軒樋は前壁と後壁と底壁とから成る断面略Ｕ字形状で、後壁の上端部の軒樋内部側に後耳部を備え、前記前壁の上部域が軒樋内部側に二段階に曲折されて前記前壁の上端部が水平より下方に向かって平面状に形成されるとともにこの上端部の軒樋内部側に断面略半円状の前耳部を備え、
前記軒樋吊具は後方端部を軒先に固定され、軒樋吊具の前方端部に上方開口して前記前耳部を嵌合して収納する断面略半円状の前耳保持凹部を備え、この前耳保持凹部の縁部が前記前壁の上端部と略同じ角度で水平より下方に向かって形成され、
前記前耳保持凹部の後方における前記縁部に前記前耳部を係止する係止片が前方に突設され、この係止片の先端部に前記前耳保持凹部の前方における前記縁部より上方に亘って前記前耳部を前記前耳保持凹部までガイドするガイド面が設けられることを特徴とする軒樋吊具構造。
【請求項２】
請求項１記載の軒樋吊具構造であって、前記前耳部と前記前耳保持凹部の断面略半円状は互いが略内接する多角形状に形成されることを特徴とする軒樋吊具構造。
【請求項３】
請求項１又は請求項２に記載の軒樋吊具構造であって、前記ガイド面は略垂直に形成されることを特徴とする軒樋吊具構造。
【発明の詳細な説明】
【技術分野】
【０００１】
本発明は軒樋を軒樋吊具に容易に取付け可能とする軒樋吊具構造に関し、軒樋の前耳と後耳の何れを先に取付けても軒樋を軒樋吊具に容易に取付けることができる軒樋吊具構造に関する。
【背景技術】
【０００２】
従来、図６（ａ）に示すように、軒樋吊具構造に用いられる軒樋４は前壁４ａと後壁４ｂと底壁４ｃとから成る断面略Ｕ字形状で、後壁４ｂの上端部の軒樋内部側に後耳部４ｄを備え、前記前壁４ａの上部域７が軒樋内部側に二段階に曲折される。そして、前記軒樋４は図示しない自然状態では上部域７の上端部側７ｂが水平より下方に向かって角度αで平面状に形成されるとともにこの上端部７ｂの軒樋内部側に断面略半円状の前耳部４ｅを備える。
【０００３】
軒樋吊具５は鼻板３に固定され、軒樋吊具５の前端部に軒樋４の前耳部４ｅを嵌合して収納する断面略半円状の前耳保持凹部６が形成される。この前耳保持凹部６の縁部６ｂは水平面より下方に向かって角度αで平面状に形成される。
【０００４】
このような形状の前記軒樋４を前記軒樋吊具５に取付けるには、まず、後耳部４ｄを前記軒樋吊具５の後耳保持凸部８に取付けた後に、前壁４ａを矢印Ｐ１で示すように持上げて前耳部４ｅを前耳保持凹部６に嵌入する。
【０００５】
ところが、上記、前記前壁４ａの上部域７の上端部７ｂ側が水平より下方に向かって角度αで形成されるので、前耳部４ｅを前記前耳保持凹部６に嵌入するためには前耳部４ｅを十分下方に曲折して先端部４ｆを前記前耳保持凹部６に滑り込ませる必要があるため、前耳部４ｅを前記前耳保持凹部６に嵌入することは非常に困難であった。
【０００６】
このため、図６（ｂ）に示すように、最初に前壁４ａを持上げて上端部７ｂの前耳部４ｅを前記前耳保持凹部６に嵌入するとともに矢印Ｐ２で示すように回転して、図示しない後耳部４ｄを前記軒樋吊具５の後耳保持凸部８に取付ける方法が用いられていた。後耳保持凸部８は水平フック状なので後耳部４ｄを持上げるだけで容易に取付けできる。
【０００７】
しかし、この方法でも、前記前耳保持凹部６に嵌入する際に前壁４ａを持上げて前耳部４ｅを角度β＝略９０度まで十分に折り曲げる必要があり、前壁４ａによって視界が遮られるため、前記前耳保持凹部６への位置決めが困難で作業性が悪くなり前耳部４ｅの一部が容易に嵌入できない状態が生じるという問題があった。
【０００８】
この問題を解決する方法として特許文献１の内容が知られている。図７に示すように、特許文献１の軒樋吊具１は固定板２を介して図示しない鼻板に固定され、軒樋吊具１の前端部に屈曲して立ち上る吊持片１１とその内側近傍にバネ係止片１２を並設する。このバネ係止片１２の弾性変形によって、図示しない軒樋の前耳部を吊持片１１とバネ係止片１２の間に容易に嵌入して弾力的に係止したのち、図示しない軒樋の後耳部を挾持片１３に挿着して軒樋をワンタッチで簡単に取付けできる。
【特許文献１】登録実用新案第２５１９６２６号公報
【発明の開示】
【発明が解決しようとする課題】
【０００９】
ところが、特許文献１の軒樋吊具構造は吊持片１１と異なる材料のバネ係止片１２を用いるので製作コストが上がるという問題があった。
【００１０】
そこで、本発明は軒樋の前耳と後耳の何れを先に軒樋吊具に取付けても軒樋を容易に取付けることができる安価な軒樋吊具構造を提供することを目的とするものである。 
【課題を解決するための手段】
【００１１】
請求項１の発明は、軒樋を吊下げて支持する軒樋吊具構造であって、前記軒樋は前壁と後壁と底壁とから成る断面略Ｕ字形状で、後壁の上端部の軒樋内部側に後耳部を備え、前記前壁の上部域が軒樋内部側に二段階に曲折されて前記前壁の上端部が水平より下方に向かって平面状に形成されるとともにこの上端部の軒樋内部側に断面略半円状の前耳部を備え、前記軒樋吊具は後方端部を軒先に固定され、軒樋吊具の前方端部に上方開口して前記前耳部を嵌合して収納する断面略半円状の前耳保持凹部を備え、この前耳保持凹部の縁部が前記前壁の上端部と略同じ角度で水平より下方に向かって形成され、前記前耳保持凹部の後方における前記縁部に前記前耳部を係止する係止片が前方に突設され、この係止片の先端部に前記前耳保持凹部の前方における前記縁部より上方に亘って前記前耳部を前記前耳保持凹部までガイドするガイド面が設けられることを特徴としている。
【００１２】
請求項２の発明は、請求項１記載の軒樋吊具構造であって、前記前耳部と前記前耳保持凹部の断面略半円状は互いが略内接する断面多角形状に形成されることを特徴としている。
【００１３】
請求項３の発明は、請求項１又は請求項２に記載の軒樋吊具構造であって、前記ガイド面は略垂直に形成されることを特徴としている。
【発明の効果】
【００１４】
請求項１記載の発明によれば、前記軒樋吊具の前方端部に上方開口して前記前耳部を嵌合して収納する断面略半円状の前耳保持凹部を備え、この前耳保持凹部の縁部が前記前壁の上端部と略同じ角度で水平より下方に向かって形成され、前記前耳保持凹部の後方における前記縁部に前記前耳部を係止する係止片が前方に突設されるので、前耳保持凹部に嵌入された軒樋の前耳部は係止片によって確実に固定される。
【００１５】
そして、この係止片の先端部に前記前耳保持凹部の前方における前記縁部より上方に亘って前記前耳部を前記前耳保持凹部までガイドするガイド面が設けられるので、軒樋の前耳部を前耳保持凹部に嵌入する際に、前耳部がこのガイド面に当接してガイドされながらスライドできる。このため、軒樋の前耳と後耳の何れを先に軒樋吊具に取付ける場合でも、前耳部を前耳保持凹部に確実且つ容易に位置決めして嵌入することができる。前記軒樋吊具は同一材料を用いて形成できるので製作コストを下げることができる。
【００１６】
請求項２記載の発明によれば、前記前耳部と前記前耳保持凹部の断面略半円状は互いが略内接する断面多角形状に形成されるので、嵌入された前記前耳部を前記前耳保持凹部に内接して更に確実に保持することができる。
【００１７】
請求項３記載の発明によれば、形成される前記ガイド面は略垂直面でなので略垂直で平面形状なので製作コストが安価となり、請求項１の効果と同様の効果が得られる。
【発明を実施するための最良の形態】
【００１８】
＜軒樋吊具の構成＞  
以下に、本発明の実施形態を図１〜図３に基づいて説明する。図１、図２、図３に示すように、軒樋２０を吊下げる軒樋吊具３０は略平行な上板材３０ａと下板材３０ｂが垂直材３０ｃで断面Ｈ字形状に形成される。
【００１９】
軒樋吊具３０の後端部３１ａは軒先の鼻板４０に固定されるとともに、後端部３１ａの近傍に軒樋２３の後耳部２４を係止する後耳保持凸部３２を備え、軒樋吊具３０の前端部３１ｂに上方開口して軒樋２３の前耳部２７を嵌合して収納するための断面略半円状の前耳保持凹部３３を備える。この前耳保持凹部３３の縁部３４は水平より角度θ＝略２５度で下方に向かって形成される。
【００２０】
軒樋２０は前壁２１と後壁２２と底壁２３とから成る断面略Ｕ字形状である。後壁２２の上端部２２ａの軒樋内部側に後耳部２４を備え、前壁２１の上部域２１ａが軒樋内部側に二段階（上端部近傍部２５と上端部２６）に曲折される。上端部２６は水平線より角度θ＝略２５度下方に向かって平面状に形成され、この上端部２６の軒樋内部側に断面略半円状の前耳部２７を備える。
【００２１】
より詳しくは、前耳部２７の断面略半円状は４側辺（先端部２７ａから第一側辺２７ｂ、第二側辺２７ｃ、第三側辺２７ｄ、第四側辺２７ｅ）から成る多角形状で、前耳保持凹部３３の断面略半円状は５底辺（先端部３３ａ側から、第一底辺３３ｂ、第二底辺３３ｃ、第三底辺３３ｄ、第四底辺３３ｅ、第五底辺３３ｆ）から成る多角形状で形成される。
【００２２】
そして、前耳部２７の第二側辺２７ｃ、第三側辺２７ｄ、第四側辺２７ｅが、前耳保持凹部３３の第三底辺３３ｄ、第二底辺３３ｃ、第一底辺３３ｂにそれぞれ略内接する。
【００２３】
前耳部２７の第一側辺２７ｂが前耳保持凹部３３の第四底辺３３ｅ、第五底辺３３ｆに内接せずに空間域３５が形成されるのは、前耳部２７を前耳保持凹部３３に嵌入する際に、前耳部２７の先端部２７ａが矢印Ｑで示すように前耳保持凹部３３内で自由に回転して嵌入容易にするためである。
【００２４】
そして、前耳保持凹部３３の後方における後方縁部３４ａに前耳部２７を係止する係止片３７が前方に突設されて、前耳部２７が前耳保持凹部３３に嵌入された状態で係止片３７に前耳部２７の先端部２７ａが係止されるので、前耳部２７を前耳保持凹部３３内に確実に保持することができる。
【００２５】
後方縁部３４ａと係止片３７の間には、軒樋２０の板厚Ｓを挿入するための隙間段差３８が板厚Ｓと同じ幅で確保される。
【００２６】
さらに、この係止片３７の先端部３７ａに前耳保持凹部３３の前方における縁部３４より高さＴだけ上方に亘って略垂直なガイド面３９が設けられる。ガイド面３９は垂直線に対して角度θ１＝略１５度で間口が広くなるように形成される。
【００２７】
このため、前耳部２７の先端部２７ａをガイド面３９に当接しながら容易に前耳保持凹部３３内まで案内して滑り込ませることができる。なお、前耳部２７の先端部２７ａをガイド面３９に容易に当接させるために、高さＴはできるだけ高く形成することが好ましい。
【００２８】
軒樋吊具３０は亜鉛鍍金鋼板やステンレス材で一体形成される。
【００２９】
＜軒樋吊具の作用＞
図４に示すように、ガイド面３９は前耳保持凹部３３の縁部３４より上方に亘って設けられるので、軒樋２０を軒樋吊具３０に取付ける際に、最初に軒樋２０の後耳部２４を軒樋吊具３０の後耳保持凸部３２に係止した状態で、軒樋２０の前耳部２７を持上げて前耳部２７の先端部２７ａを係止片３７のガイド面３９に容易に当接して滑らせることができる。
【００３０】
そして、図５に示すように、前耳部２７を係止片３７に係止して前耳部２７を前耳保持凹部３３内に確実に保持できる。
【００３１】
ガイド面３９は前耳保持凹部３３の縁部３４より上方に亘って設けられるので、図示しないが、同様に、最初に軒樋２０の前耳部２７の先端部２７ａをガイド面３９に当接して滑らせて容易に軒樋吊具３０の前耳保持凹部３３内に係止できて、その後、軒樋２０の後耳部２４を軒樋吊具３０の後耳保持凸部３２に係止することも容易にできる。
【００３２】
このように、軒樋２０の前耳部２７と後耳部２４のどちらを先に取付けても軒樋２０を容易に軒樋吊具３０に取付けできるので、現場における作業性及び施工性が向上する。また、軒樋吊具３０は亜鉛鍍金鋼板やステンレス材の同一材で形成できるので製作コストが低減できる。
【００３３】
以上、本発明の実施例を図面に基づいて説明したが、具体的な構成はこの実施例に限られるものではなく本発明の要旨を逸脱しない範囲の設計変更等があっても本発明に含まれる。
【００３４】
例えば、前耳部と前耳保持凹部の断面略半円状は、それぞれ４側辺と５底辺を越える多角形状で形成しても構わない。
【００３５】
係止片の先端部に設けられるガイド面の垂直線に対しての開き角度θ１は必ずしも略１５度とする必要はなく状況に応じてして設定される。また、ガイド面は曲面状に形成してもよい。
【図面の簡単な説明】
【００３６】
【図１】本発明の実施形態における軒樋吊具３０の斜視図である。
【図２】本発明の実施形態における、軒樋吊具３０に軒樋２０を吊下げた状態を示す断面図である。
【図３】本発明の実施形態における軒樋吊具３０の、図２におけるＡ−詳細断面図である。
【図４】本発明の実施形態における、軒樋２０の後耳部２４を軒樋吊具３０の後耳保持凸部３２に係止した状態から、軒樋吊具３０の前耳保持凹部３３に軒樋２０の前耳部２７を嵌入しようとする状態を示す断面図である。
【図５】本発明の実施形態における、図４の状態に続いて、軒樋吊具３０の前耳保持凹部３３に軒樋２０の前耳部２７が嵌入された状態を示す断面図である。
【図６】従来の軒樋吊具５に軒樋４を取付ける状態で、（ａ）は軒樋吊具５の後耳保持凸部８に軒樋４の後耳部４ｄを係止した後に、前耳保持凹部６に軒樋４の前耳部４ｅを嵌入する状態を示す断面図、（ｂ）は後耳保持凸部８に図示しない軒樋の後耳部を係止する前に軒樋吊具５の前耳保持凹部６に軒樋の前耳部４ｅを嵌入する状態を示す断面図である。
【図７】従来の他の軒樋吊具１の前端に、屈曲して立ち上る吊持片１１とバネ係止片１２を並設した状態を示す斜視図である。
【符号の説明】
【００３７】
２０  軒樋
２１  前壁
２１ａ  上部域
２６  上端部
２７  前耳部
３０  軒樋吊具
３１ｂ  前端部
３３  前耳保持凹部
３４  縁部
３４ａ  後方縁部
３７  係止片
３７ａ  先端部
３９  ガイド面
【図１】
2008291570.tif 000003
【図２】
2008291570.tif 000004
【図３】
2008291570.tif 000005
【図４】
2008291570.tif 000006
【図５】
2008291570.tif 000007
【図６】
2008291570.tif 000008
【図７】
2008291570.tif 000009